(57)【要約】  磁気によりモーメントを作り出すことを目的とする磁気モータである。モータは回転子及び１つの固定子から構成され、磁石及び高透磁率材料（２）を有している。固定子は千鳥形状に配置された磁極を有する磁石（１）により形成されており、回転子の磁石（３）にだんだん近くなり、回転子の引き付け力を作り出し、回転を作り出す。固定子の端部を取り囲む回転子の各種磁石は、軸に対して回転する時、モータを作る、それは自転車のトルク増大させるために使用される。
2009525021.tif 000002
【特許請求の範囲】
【請求項１】
回転子及び固定子の磁石及び高透磁率材料（２）により形成され、固定子の軸は回転子の軸に直交する円の正接である磁気モータであって、
前記回転子は少なくとも１つの磁石（３）により形成され、高透磁率材料（２）は、それが固定子に近づくと固定子の端部と同一の磁極を有する唯一の磁極を有する磁石の面と固定子に面する２つの磁極を有する面とに隣接し、モータに少なくとも１つの固定子があり、固定子は唯一の磁極を有する面から引き付ける磁石（１）により形成され、固定子の軸に対して千鳥状の構造を形成し、２つの磁極を有する面は固定子の軸からだんだん遠くなると共に回転子にだんだん近くなる千鳥状の線上で回転子に面し、唯一の磁極を有する面に平行な高透磁率材料（２）の隣りの回転子に最も近い端部の磁石に至ることを特徴とする磁気モータ。
【請求項２】
前記回転子に面する固定子の磁石（１）の面は前記固定子の軸に平行な面に２つの磁極を有していることを特徴とする請求項１に記載の磁気モータ。
【請求項３】
前記回転子の磁石（３）及び前記固定子の磁石（１）の唯一の磁極を有する面は、磁石がお互いに完全に面しない時に、最も近い磁極に同一の磁極を有していることを特徴とする請求項１に記載の磁気モータ。
【発明の詳細な説明】
【技術分野】
【０００１】
本発明は、モータの技術領域内であって、特に、磁気モータに関する。
【背景技術】
【０００２】
通常、回転子に配置される磁気材料（磁石）を有する唯一の部分を有するこのタイプのモータでは、永久磁石と電流が流れる巻き線のある固定子により形成されている。回転子及び固定子の両方には磁石を有し、回転トルクを作り出す装置もあり、この文献の装置はこの第２グループの部分を形成する。他の例について説明すると、特許ＪＰ５６１１０４８３及びＥＰ２５６１３２を引用することができる。
【０００３】
磁気シールドは磁石の磁束を引き付けることにより動作する。この文献とほとんど一致する特許はＪＰ５６１１０４８３であり、この特許は、磁気シールドが磁石に引き付けられ、磁気シールドは固定子の磁石の場を脱出することができないため、固定子から離れる時にシールドを引き付けるより固定子に等しく近づく時に回転子の斜めの磁石を引き付ける固定子の斜めの磁石を示している。この問題を解決するため、本発明により提供される利点は、回転子が加速により最後の頂部の磁石に達し、磁場の引き付けに打ち勝つため、だんだん千鳥形状になる多数の磁石と、回転子に常に最も近い回転子に引き付けられる固定子の極を有する固定子を作り出す可能性を有していることである。（端部で引き付けるため）固定子に最初に入る回転子の極とその固定子の極が反対の極性の兆候を有する場合、又は（お互いに反発するため）回転子及び回転子の極に最も近いすべての固定この磁石に表示される局が同じ極性の兆候を有する場合、１つ以上の磁石を有するグループに対する回転があるため、極の正しい配置は重要である。
【０００４】
特許ＪＰ５６１１０４８３では、回転子の磁石が固定子に入る時に２つの磁極を有する場合に反発を引き起こすため、固定子に面する回転子の磁石の唯一の磁極があると思われる。また、回転子の磁石に２つの極がある場合、磁場が最も近い磁石の磁束を引き付けるため傾斜した磁場は固定子に引き付けられる極を覆う。
【０００５】
極の配置が変更された場合、最も近い極が同じ極の兆候を有する場合、磁石はお互いに対して回転することができない。
【０００６】
特許ＪＰ５６１１０４８３の回転方向が反対の場合、本発明では、２つの磁極を有する固定子の表面が固定子の対称軸に平行となっている必要があることが説明された後、磁場領域を通って回転子に入り、回転子に対して反対の極性を有し、回転子に引き付けられ、他の固定子に最も近い固定子の極は、反対の極性がより低いので、この表面が斜めの場合、この表面が最初に入る他の端部に配置される反対の極性に引き付ける力のないため、回転子により描かれる円の正接に平行な表面にある必要がある。
【０００７】
モータを作るため、静止の固定子及びその周りを回転する可動の回転子が必要とされる。伝統的な配置では、回転子はそのシャフトの周りを回転し、回転子の構成は閉鎖領域に配置されている。しかしながら、磁石が回転子及び固定子に配置された場合、磁石が磁束を放出することを考慮に入れると、最適な方法は、回転子の磁石／構成が磁石を有する固定子に入る時に回転可能にすることを見出す必要がある。最良の方法は、回転子の構成が固定の対称軸に平行な平面の同一軸で回転し、固定子の周りに同心円を描き、頂部の磁石を有する固定子の端部をより接近して取り囲み、固定子はプリズム状の構造となる（図６）。この配置は回転子と固定子の間の最良の磁気相互作用表面で回転を作り出し、他の配置は相互作用の回転トルクを半分に減少させることが明らかである。そのため、回転子と固定子の磁石で磁気モータの作り出すことは本発明の最も重要な利点の１つである。
【０００８】
磁石はそれらの間の一定の距離で磁気相互作用を作り出す磁束を放出する。２つの磁石がお互いに近づいた場合、それらの磁束は一緒に追加され、それらは離れた場合と同一の効果を有することはない。この理由のため、固定子が非常に長い回転子のシャフトに対して異なる平面に配置され、磁束がもはや相互作用しなくなる十分な距離、離れている場合を除いて、特許ＪＰ５６１１０４８３の１つのような同一平面での多数の固定子の磁石を有するモータを作ることは不可能である。本発明で提供される利点はモータの唯一の固定子のブロックを作り出す磁石を配置である。固定子はモータをよりコンパクトにしようとする場合にはプリズム状にする必要がある。これにより、幾つかの固定子の間に所望しない付加物を有し、回転を無効にし、回転子のシャフトを伸ばす必要を避けることができる。
【発明の開示】
【発明が解決しようとする課題】
【０００９】
本発明の目的は、エネルギーの他の形式を必要とすることなく、磁石のエネルギーを使用してのみ回転を作り出すことがある。その装置は固定子と回転子から構成され、磁気の引き付けが回転子と固定子の間で起こるため、回転子に必要な力を供給する磁石を有している。
【課題を解決するための手段】
【００１０】
回転子は、固定子を形成する材料により、高透磁率材料、単なる磁石、又はそれらの組合せを備えている。回転子に配置される磁石は円を描くそのシャフトの周りのアームで回転する。磁石は傾斜角度を有し又はほとんど傾斜しておらず、固定子に最も近い端部に切断部を有している。さらに、幾つかの面において磁石は多過ぎる磁束が出て行くのを防止する高透磁率材料により遮蔽されていてもよく、それを他の領域に新たに方向付けする時、磁気回路は閉鎖される。
【００１１】
回転子の動作は遮蔽されていない磁石の面と固定子の間の磁気の引き付けにより作られる。回転子の磁石が遮蔽されていない場合、固定子により近接して回転する回転子の磁極と固定子の間で相互作用が起こる。
【００１２】
回転子の構成は、高透磁率材料が固定子を形成する磁石に対して非常に強い引き付け力を有しているため、磁石を設けることなく、高透磁率材料だけで作ることができる。
【００１３】
固定子は磁石と高透磁率材料のグループ、又は磁石だけを備えている。
【００１４】
そのグループを形成する磁石は矩形又は環状であってもよく、それらは回転子に面する側にある角度を成した切断部を有していてもよく、それらはそれらの間及び固定子の対称軸に対して僅かに鋭角な傾斜を有していてもよい。
【００１５】
磁石は、各磁石の外側の極が固定子の軸からだんだん離れると共に回転子の構成にだんだん近づく千鳥状の配置で、最大限度或いは高透磁率材料製のシールドが固定子のブロックの一端部での磁束の流出を中止するために配置される隣りの頂部の磁石まで、引き付けるモードでかなり近接且つ平行に配置される（図１）。従って、固定子の一端部は一磁極を示し、他端部は他の磁極を示すが、それは磁場により遮蔽される。磁場の適当な構造はすべての磁石及び固定子の他の極に再び磁束を向けることを可能にし、磁気回路は閉鎖される。固定子の磁気回路により近付けるため、高透磁率材料は端部の磁石からより遠い固定子の軸に沿って延出し（図１）、又は代わりに、別の磁気シールドはその端部に配置され（図２）、固定子の端部の異なる領域で２つの磁気シールドを有する。さらに、磁気シールドが固定子の最大面の磁束を十分に遮蔽しない場合、又は回転子の磁石を遮蔽したくない場合、薄い磁石が磁気シールドの隣りに非常に近接して配置され、それが一端通貨すると回転子に反発する。
【００１６】
回転子の構成の動作に最も遠い固定子の磁石は僅かに傾斜して配置され、回転から最も遠い固定子の端部を通って入る時、回転子が反発に気付くのを防ぐ。
【００１７】
千鳥状に配置された固定子の磁石が軸上磁化方向を有している場合、回転子に面する側は固定子の軸に平行な面に２つの磁極を有し（図２）、又はこの表面が傾斜している場合（図１）、回転子に最も近い極は回転子に引き付けられる。
【００１８】
固定子の多数の磁石のグループは回転子を加速させる。回転子の回転が起こる１つの方法は磁石／回転子の構成が表面領域が少なく、固定子に入る回転子の側と同じ磁極を示す端部を通って固定子に入り、磁気シールドに最も近い頂部の磁石の最後の極及び回転子への磁気引き付け力があるため、磁石は頂部の磁石及び他端部の磁気シールドの方に引き付けられ、最大表面領域で固定子の端部の磁束を吸収する磁気シールドを通過後、回転子はもはや固定子との磁気相互作用を経験せず、回転トルクが作られる。
【００１９】
回転子の回転方向は回転子の引き付け方向による。この理由のため、幾つかの図は反対方向に回転し、磁気シールド領域に最初に入る回転子を示している（図３及び４）。例えば、図３は傾斜角度を有する傾斜した磁石が固定子に使用された場合に、回転子が磁気シールドの方に最初に引き付けられ、その後、頂部の磁石の反対の極に引き付けられることを示している。
【００２０】
固定子を形成する他の手段は磁石だけによるものであり、同等の特性を有する磁石が上記したように互い違いに配置され、引き付けモードではお互いにかなり平行且つ近接し、それらの間の距離は回転子の構成に対してだんだん小さくなり、傾斜する頂部の磁石及び固定子の軸に平行な角度の切断部を有する相互作用の表面まで進行が増加し、その後、磁石又は磁石のグループは頂部の磁石と反発するモード（図５）、又は、頂部の磁石の隣りの下がって進行する傾斜した磁石、又は両方の組合せに配置されてもよい。このように、回転子は固定子の頂部の磁石を通過した後に反発し、それにより、回転トルクが作られる。この変形例では、固定子の端部の１つを通って入り、それが頂部の磁石に加速する時にシールドされていない回転子の移動が起こり、この頂部の通過後、固定子の他端部に配置された他の磁石はそれに反発する。その移動は磁気相互作用により起こり、最初引き付け、その後、反発する。
【００２１】
作られることのできる回転子及び２つの固定子のタイプを明確に定めた後、２つのエレメントの配置を説明する必要がある。固定子に適当に入り、ほとんど反発に気付かず、又は最適の磁気相互作用を有する回転子の磁束のための最良の方法は、頂部の磁石を有する固定子の端部を含む回転子の構成を必要とし、固定子の対称軸に平行な平面で回転し（図６）、それらは磁束を放出する磁石であるため、回転子と固定子の間のこの配置が非常に重要であることは明らかであると思われる。さらに、モータを形成するために使用される固定子のブロックの数は固定子の間の磁束の付加を避けるために減少される。この理由のため、一般に、１つだけのプリズム状の固定子はモータに配置される。モータのより伝統的な配置は回転に近い横の領域に配置されるシャフト及び固定子のブロックの周りを回転する回転子の構成要素により構成されている（図７）。回転子が固定子に適当に入るため、傾斜した磁石が必要とされ、鋸歯のような千鳥状に配置され、回転子に引き付ける磁極は回転子により近く表示される。
【００２２】
それらが唯一の極を示す磁石と同一の磁石でなく、回転子の両側に配置され（図８）、端部のシールドに引き付けられる場合でさえ、固定子は回転子にだんだんより近く面する２つの磁極を必要とする。
【発明を実施するための最良の形態】
【００２３】
モータは磁石（３）を有する回転子と唯一の固定子とを備えて構成されている（図６）。固定を作るため、磁石（１）は渦電流を避けるためある距離、離れて、引き付けモードで平行に配置され、回転軸の両側にだんだん増加し、２つの異なる表面領域の端部を有するプリズムを形成し、最大限又は回転子の構成の回転に最も近い磁石である頂部の磁石に至る。この頂部の磁石に近接して、高透磁率材料（２）製の磁界シールドは固定子のこの端部からの磁束の流出を減少させるため、固定子の最後の磁極を有する面にかなり平行に配置される。軸の磁化方向を示す磁石（１）が使用された場合、その表面に２つの極を有する面は回転子の磁石（３）に面して配置され、回転子の構成要素を引き付けられる極は磁気シールド及び頂部磁石に最も近接して配置される（図１）。
【００２４】
回転子は磁石（３）及び高透磁率材料（２）を備えている。磁石とシールド材料の間の距離は変更可能である。回転子はまた遮蔽されていない磁石（３）から構成されてもよいが、固定子及び回転子を形成する軸の磁化方向を有する磁石がある場合、固定子の磁石（１）に最初に入る固定子の磁石(３)の極はそれが入り端部と同じ極を有し、他の固定子の端部に最も近い反対の極を有する頂部の磁極の極に引き付けられる。
【００２５】
回転子の磁石（３）の傾斜により、異なる回転方向が存在する。例えば、図１及び２では、回転子の磁石（３）は回転子の磁石（３）がその回転で最初に入る少なくとも表面領域を有する固定子に僅かに傾斜される。代わりに、図３及び図４に示されているように、回転子の磁石（３）の最初の極は最初に磁気シールドの端部に入り、他の固定子の端部に最も近い頂部の磁石の反対の極に引き付けられる。このため、回転子に面する固定子の２つの磁極を有する表面は固定子の対称軸に平行となっている必要があり、この表面が斜めになっている場合には引き付けの力がないため、通常、磁気シールドの点で回転子により描かれる円の正接に平行となっている必要がある。
【００２６】
回転子の構成要素は同一のシャフトに対して回転可能であり、プリズム状の固定子の周りに同心円を描く。回転子の構成要素は他端部より固定子の一端部において頂部の磁石及び磁気シールドにより近く配置されることにより固定子を取り囲む必要があり、モータの固定子だけの対称軸に平行な面で回転する。
【産業上の利用可能性】
【００２７】
現在、モータは所望なように十分作動していない。消磁されないために磁石が運ぶ負荷の程度と同様により自律的な回転を促進する磁石の正確な力が将来、見出されても良く、さらに、モータは温度の増加を示す。
【００２８】
現在、自律的なモータとして作動していないため、回転トルクを補助する装置から構成されている。固定子の磁石を回転子が横切るのは難しく、それは補助を必要とする。この理由のため、装置は、実際に操作をペダルで補助するように自転車のペダル操作で使用されると定義される。当面は、非常に低い回転で回転にブレーキを感じた後に強い回転トルクが得られる。
【図面の簡単な説明】
【００２９】
【図１】傾斜切断部がだんだん増加する磁石（１）により形成される固定子を示している。磁気シールドを形成する高透磁率材料（２）は最大表面領域を有する面に配置されている。磁気シールドは対称軸に沿って他方の固定子の端部の方に延びている。回転子は高透磁率材料（２）により遮蔽された磁石を有している。
【図２】固定子の磁石（１）は傾斜切断部を有していない。固定の両端部には磁気シールドを形成する高透磁率材料（２）がある。最大表面領域を有する磁気シールドの隣りには薄い磁石（４）がある。回転子の磁石（３）は遮蔽されていない。
【図３】回転子の磁石（３）は遮蔽されておらず、磁気シールド材料（２）が配置される端部に最初は入り、それは固定子の磁石（１）に引き付けられる。
【図４】回転子の磁石（３）は遮蔽されておらず、磁気シールド材料（２）が配置される端部に最初は入り、それは固定子の磁石（１）に引き付けられる。
【図５】傾斜した頂部の磁石まで磁石（１）の配置を増加させ、その後、傾斜した磁石（５）又は反発する磁石（６）を減少させる。
【図６】回転子は固定子の対称軸に平行な面で回転し、頂部の磁石を有する固定子の端部取り囲む。
【図７】固定子の磁石（１）は傾斜切断部を有しているが、それらは回転子にだんだん近づく。磁気シールドを形成する材料（２）は頂部の磁石の隣りに配置される。アームを有する回転子の磁石（３）は螺旋状に配置される。
【図８】固定子の磁石（１）は、交互にだんだん近づく１つだけの極を示し、回転子の構成要素（７）の両側に配置されている。固定子の磁石（１）は回転子の構成要素（７）を頂部の磁石及び磁気シールドを形成する材料（２）の方に引き付ける。
【図１】
2009525021.tif 000003
【図２】
2009525021.tif 000004
【図３】
2009525021.tif 000005
【図４】
2009525021.tif 000006
【図５】
2009525021.tif 000007
【図６】
2009525021.tif 000008
【図７】
2009525021.tif 000009
【図８】
2009525021.tif 000010
【手続補正書】
【提出日】平成20年7月30日(2008.7.30)
【手続補正１】
【補正対象書類名】明細書
【補正対象項目名】全文
【補正方法】変更
【補正の内容】
【発明の詳細な説明】
【技術分野】
【０００１】
本発明は、磁気モータの技術領域に関する。
【背景技術】
【０００２】
回転子及び固定子に永久磁石を有し、磁石の磁力を使用するだけで回転を作るモータがある。磁石はお互いに引き付けられ、回転し、最初に、回転子の磁石及び固定子の磁石は引き付けられなくてはならず、その後、引き付け力は減少され、回転子が固定子から離れることができるようになっている。
【発明の開示】
【発明が解決しようとする課題】
【０００３】
特許ＪＰ５６１１０４８３の図７は回転子の磁極と固定子の磁極の間での引き付けを示しているが、問題は回転子の磁石が固定子からの磁極の引き付けから逃れることができないといった事実にある。
【課題を解決するための手段】
【０００４】
本発明のモータは、固定子の磁石の２つの磁極を回転子の方に示し、回転子の磁石は固定子の引き付けから逃れることができるため、上記した問題を解決する。磁気引き付けは回転子と固定子を備える磁石の間で起こるため、モータは回転力を与える磁石が配置される固定子及び回転子から構成される。
【０００５】
回転子を備えるエレメントは磁石と磁場の向きを定める材料であり、その材料は高透磁率材料とすることができる。回転子の磁石は同じシャフトに直交するアームに配置され、固定子の近くで円を描いて回転する。磁石は一つだけの磁極を有する面と２つの磁極を有する面とを備えている。回転子の磁石は異なる方法で配置されてもよく、固定子の方に磁極を示す面は傾斜してもよく、或いは面が傾斜していない場合には、面は回転子の回転面に平行となっている。その面は固定子に最も近い端部に傾斜を形成する切断部を有し、回転面に平行な面に２つの磁極を示し、最初に固定子と相互作用する磁石の磁極を有している。さらに、回転子の磁石の面の隣りに高透磁率材料がある。この材料は、固定子に近づく時、固定この端部と同じ磁気極性を示す磁極の隣りに配置され、通常、固定子と相互作用する最初の回転子の極の面に近い（図１）。
【０００６】
固定子は磁石のグループと磁場の向きを定める材料とから構成され、一端部に高透磁率材料を配置してもよい。磁石は矩形であってもよく、１つだけの磁極を有する面に引き付けられ、引き付けない幾つかの面は回転子に面する表面に２つの磁極を有する。お互いに引き付ける磁石は、矩形であってもよく、千鳥状の線に配置され、各磁石の２つの極を有する面は固定子の軸からだんだん離れると共に回転子エレメントにだんだん近づき、最大限まで又は高透磁率材料の隣りの回転子に最も近い磁石の固定子の端部の磁石に至る（図１）。固定子の軸を形成するため、磁石は両側の千鳥状の線に配置されている。固定子の軸は回転子の軸に直交する平面に配置される円の正接であり、その円の中心は回転子の軸の点である。回転子に面する各固定子の磁石の面の２つの磁極は、千鳥状に配置され、固定子の軸に平行な面に配置される。回転子の磁石が固定子に近づくと、回転動作が起こり、一旦、相互作用が起こると、それは他端部を通って固定子から離れる。回転子の磁石の傾斜により、回転方向は異なる。しかし、最良の回転は、回転子の磁石が回転面に平行な２つの磁極を有するその面を示す時に起こり、回転で２つの磁極を有する回転子のこの面は各固定子の磁石に完全に面することができる。その上、回転子の磁石と固定子の磁石の１つだけの磁極を有する面は、磁石がお互いに完全に面していない時、常に、最も近い磁極と同じ磁極を有する（図１）。回転子の磁石の最初の極は高透磁率材料を有する端部から固定子に近づき、固定子の端部で磁石の反対の極性を有する極に引き付けられ、その後、力の小さい残りの磁石に引き付けられる。これは、それが傾斜している場合には、固定子の反対の極性を有する極がより低く、大きな引き付け力を有しないため、固定子の２つの磁極を有する面が固定子の軸に平行となる必要があるからである。モータを作るため、回転子を形成するエレメントは固定子の軸に平行な面の同じシャフトの周りを回転するアームに配置されている。
【発明を実施するための最良の形態】
【０００７】
モータは回転子に近接する固定子を有している。固定子を作るため、矩形の磁石（１）は１つだけの磁極を有する最大表面領域を有する面からお互いを引き付けて、固定子の軸の両側で千鳥状にある距離離れて配置され、回転子への異なる距離の端部で磁石(１)を有するプリズムを形成する。回転子に面する各磁石の面は固定子の軸に平行な面に２つの磁極を有している。固定子の軸は回転子の軸に直交する円の正接である。高透磁率材料（２）は回転子に最も近い磁石を有する固定子の端部に配置され、１つだけの磁極を有する面に平行を成している。回転子を作るため、磁石（３）及び高透磁率材料（２）が必要である。磁石（３）は矩形であり、最大表面領域を有する面に１つだけの磁極を有し、固定子に面する面は２つの磁極を有し、回転面に平行を成している。高透磁率材料（２）は、固定子に近づく時に固定子の端部と同一の磁気極性を有する１つだけの磁極を有する面の前に配置され、その材料（２）は固定子に近接する回転子の最初のエレメントである。回転では、回転子の磁石の１つだけの磁極を有する面及び最初の固定子の磁石は、磁石がお互いに完全に面していない時に近づく最も近い磁極で同じ磁気極性を有する。モータを作るため、回転子を備えるエレメントは固定子の軸に平行な面の同じシャフトの周りを回転するアームに配置されている。
【産業上の利用可能性】
【０００８】
これは回転トルクを補助する装置であり、自転車のペダルで使用可能である。
【図面の簡単な説明】
【０００９】
【図１】固定子は磁石（１）と高透磁率材料（２）とから構成されており、その材料（２）は磁石（１）が回転子に最も近い端部に配置されている。高透磁率材料（２）は最初に固定子に近づく１つだけの極を有する回転子の磁石（３）の面に近接している。回転子を備えるエレメントは固定子の軸に平行な面で回転する。
【図２】回転子のエレメントは固定子の軸に平行な面で回転する。
【手続補正２】
【補正対象書類名】図面
【補正対象項目名】全図
【補正方法】変更
【補正の内容】
【図１】
2009525021.tif 000011
【手続補正３】
【補正対象書類名】図面
【補正対象項目名】全図
【補正方法】変更
【補正の内容】
【図２】
2009525021.tif 000012
【手続補正書】
【提出日】平成20年12月25日(2008.12.25)
【手続補正１】
【補正対象書類名】手続補正書
【補正対象項目名】手続補正２
【補正方法】変更
【補正の内容】
【手続補正２】
【補正対象書類名】図面
【補正対象項目名】全図
【補正方法】変更
【補正の内容】
【図１】
2009525021.tif 000013
【図２】
2009525021.tif 000014
【手続補正２】
【補正対象書類名】手続補正書
【補正対象項目名】手続補正３
【補正方法】削除
【補正の内容】
【国際調査報告】
2009525021.tif 000015
2009525021.tif 000016
2009525021.tif 000017
2009525021.tif 000018
2009525021.tif 000019
2009525021.tif 000020
2009525021.tif 000021
2009525021.tif 000022
2009525021.tif 000023
2009525021.tif 000024